(57)【要約】【課題】  基本的に片持ち支持構造のコンベアユニットであるにもかかわらず、搬送時の構造強度を大幅に向上して大きな搬送負荷に耐えることができ、しかもコンベアベルトをより少ない手間で的確に洗浄できる多層構造のコンベアを提供する。【解決手段】  それぞれ片持ち支持された第１コンベアユニット８のコンベア機構１３と、第２コンベアユニット９のコンベア機構１４を、基台フレーム１１・１２で支持して、各コンベア機構１３・１４を上下に段違い状に対向させる。両コンベアユニット８・９は、両者の間に設けた相互支持構造と連結構造を介して連結した搬送姿勢と、連結状態が解除されて両者が分離された洗浄姿勢に組換えることができる。両コンベアユニット８・９を連結した状態では、各コンベア機構１３・１４が、前後の基台フレーム１１・１２と連結相手側の基台フレーム１１・１２で相互支持構造を介して両持ち支持される。【選択図】図１
2018020893.tif 000002
【特許請求の範囲】
【請求項１】
前後に対向する第１コンベアユニット（８）および第２コンベアユニット（９）を備えており、
各コンベアユニット（８・９）は、床（Ｆ）に設置される基台フレーム（１１・１２）と、各フレーム（１１・１２）で片持ち支持される少なくとも一つのコンベア機構（１３・１４）を備えており、
第１コンベアユニット（８）のコンベア機構（１３）と、第２コンベアユニット（９）のコンベア機構（１４）は、それぞれのコンベア機構（１３・１４）が上下に段違い状に対向する状態で各基台フレーム（１１・１２）に支持されており、
第１コンベアユニット（８）と第２コンベアユニット（９）は、両コンベアユニット（８・９）の間に設けた相互支持構造と連結構造を介して連結される搬送姿勢と、連結構造の連結状態が解除されて、両コンベアユニット（８・９）が分離される洗浄姿勢に組換えることができ、
両コンベアユニット（８・９）を相互支持構造と連結構造で連結した状態において、各コンベア機構（１３・１４）の遊端が、連結相手側の基台フレーム（１１・１２）で相互支持構造を介して支持されて、コンベア機構（１３・１４）が前後の基台フレーム（１１・１２）で両持ち支持されることを特徴とするコンベア装置。
【請求項２】
相互支持構造は、各コンベア機構（１３・１４）のコンベアフレーム（２３・４３）の遊端側の複数個所に設けた載架部（５７・５８）と、各載架部（５７・５８）に対応して連結相手側の基台フレーム（１１・１２）に設けた支持体（５５・５６）を備えており、
各コンベアユニット（８・９）を連結構造で連結した状態において、載架部（５７・５８）を対応する支持体（５５・５６）で受止めて、各コンベア機構（１３・１４）の遊端が連結相手側の基台フレーム（１１・１２）で支持されている請求項１に記載のコンベア装置。
【請求項３】
各コンベアユニット（８・９）の基台フレーム（１１・１２）の左右に支柱（５９・６０）が固定されて、各支柱（５９・６０）に支持体（５５・５６）が固定されており、
各コンベア機構（１３・１４）のコンベアフレーム（２３・４３）の遊端側の下縁に載架部（５７・５８）が形成してある請求項２に記載のコンベア装置。
【請求項４】
第１コンベアユニット（８）の基台フレーム（１１）と、第２コンベアユニット（９）の基台フレーム（１２）の間に連結構造が設けられており、
連結構造が、両基台フレーム（１１・１２）のいずれか一方に設けた第１連結体（６３）と、他方に設けた第２連結体（６４）と、両連結体（６３・６４）を分離不能に固定する締結体（６５）で構成してある請求項１から３のいずれかひとつに記載のコンベア装置。
【請求項５】
第１コンベアユニット（８）の基台フレーム（１１）と、第２コンベアユニット（９）の基台フレーム（１２）のそれぞれが、床（Ｆ）に載置される複数のベースフレーム（１５・３５）を備えており、
各コンベアユニット（８・９）のベースフレーム（１５・３５）のいずれか一方に、床（Ｆ）に載置固定される接床脚（３７）が設けられ、他方に床（Ｆ）上を転動する車輪（１７）が設けられており、
第１コンベアユニット（８）のベースフレーム（１５）と、第２コンベアユニット（９）のベースフレーム（３５）がコンベア搬送方向の異なる位置に配置されている請求項１から４のいずれかひとつに記載のコンベア装置。
【請求項６】
各コンベア機構（１３・１４）が、コンベアフレーム（２３・４３）と、駆動プーリー（２４・４４）および従動プーリー（２５・４５）と、コンベアベルト（２６・４６）と、駆動プーリー（２４・４４）を回転駆動するモーターユニット（２７・４７）を備えており、
各コンベア機構（１３・１４）のコンベアフレーム（２３・４３）が、駆動プーリー（２４・４４）を支持するフレーム本体（２８・４８）と、従動プーリー（２５・４５）を支持する補助フレーム（２９・４９）を備えており、
補助フレーム（２９・４９）は、フレーム本体（２８・４８）に対して揺動軸（３０・５０）で揺動可能に連結されて、揺動軸（３０・５０）を中心にして使用姿勢とベルト緩め姿勢の間で往復揺動でき、
補助フレーム（２９・４９）を使用姿勢にした状態では、コンベアベルト（２６・４６）が従動プーリー（２５・４５）で緊張状態に保持されており、
補助フレーム（２９・４９）をベルト緩め姿勢にした状態では、従動プーリー（２５・４５）がフレーム本体（２８・４８）の側へ揺動してコンベアベルト（２６・４６）を弛緩できる請求項１から５のいずれかひとつに記載のコンベア装置。
【請求項７】
前後に対向するコンベアユニット（８４）と、コンベアスタンド（８５）を備えており、
コンベアユニット（８４）は、床（Ｆ）に設置される基台フレーム（８６）と、基台フレーム（８６）で片持ち支持されるコンベア機構（８７）を備えており、
コンベアスタンド（８５）は、床（Ｆ）に設置されるスタンドフレーム（８８）を備えており、
スタンドフレーム（８８）は、複数のスタンド枠（８９）と、スタンド枠（８９）同士を繋ぐ横フレーム（９０）を備えており、
コンベアユニット（８４）とコンベアスタンド（８５）は、両者の間に設けた支持構造と連結構造を介して連結される搬送姿勢と、連結構造の連結状態が解除されて、コンベアユニット（８４）とコンベアスタンド（８５）が分離される洗浄姿勢に組換えることができ、
コンベアユニット（８４）とコンベアスタンド（８５）を支持構造と連結構造を介して連結した状態において、コンベア機構（８７）の遊端が支持構造で支持されて、コンベア機構（８７）が基台フレーム（８６）とスタンドフレーム（８８）で両持ち支持してあることを特徴とするコンベア装置。
【請求項８】
支持構造が、コンベア機構（８７）のコンベアフレーム（２３）の遊端側の複数個所に設けた載架部（５７）と、載架部（５７）に対応してスタンドフレーム（８８）に設けた支持体（５６）を備えており、
コンベアユニット（８）とコンベアスタンド（８５）を連結構造で連結した状態において、載架部（５７）を支持体（５６）で受止めて、コンベア機構（８７）の遊端がスタンドフレーム（８８）で支持されている請求項７に記載のコンベア装置。
【請求項９】
コンベアユニット（８４）の基台フレーム（８６）とスタンドフレーム（８８）の間に連結構造が設けられており、
連結構造が、基台フレーム（８６）とスタンドフレーム（８８）のいずれか一方に設けた第５連結枠（９３）と、他方に設けた第６連結枠（９４）と、両連結枠（９３・９４）を締結固定する締結体（９５）で構成されており、
搬送姿勢において、第５連結枠（９３）と第６連結枠（９４）が締結体（９５）で分離不能に締結固定してある請求項７または８に記載のコンベア装置。
【発明の詳細な説明】
【技術分野】
【０００１】
本発明は、床に設置される基台フレームと、同フレームで片持ち支持されるコンベア機構を備えているコンベア装置に関する。
【背景技術】
【０００２】
本発明のコンベア装置に関して、多層構造のコンベア装置は例えば特許文献１に見ることができる。そこでは、上下２段に配置したコンベアラインの中途部に、上側の移送機構と下側の移送機構を備えた中間移送機構が配置してある。上下の移送機構は、それぞれ駆動ガイド部と駆動機構で昇降操作することができ、その高さ位置を変更することにより、上下のコンベアラインの移送形態をひとつの移送ループと、ふたつの移送ループに切換えることができる。
【０００３】
食品、化粧品、薬品などの製造ラインで使用されるコンベア装置においては、例えば終業時ごとにコンベアベルトやプーリーを洗浄してコンベア装置を清浄な状態に保持している。こうしたコンベア装置において、洗浄作業時のコンベアベルトの着脱を容易化するために、コンベア機構を片持ち支持し、さらにコンベアベルトの一端をベルト緩め機構で支持したコンベア装置が市販されている（三機工業株式会社製のウォッシャブルコンベア、機種名ＷＱＶ）。
【０００４】
ベルト弛み機構を備えたコンベア装置は、特許文献２にも開示されている。そこでは、従動側のコンベアプーリーを一対の側方フレームで支持し、側方フレームをコンベアフレームに対して搬送位置とクリーニング位置に変位することにより、コンベアベルトの上面に弛みを生じさせて、洗浄できるようにしている。但し、特許文献２のコンベア装置では、搬送機構はコンベアフレームで両持ち支持されており、コンベアベルトをコンベアフレームから簡単に取外すことはできない。
【先行技術文献】
【特許文献】
【０００５】
【特許文献１】特開平２−１４７５１５号公報（３頁左上欄発明の効果、第１図）
【特許文献２】特開２０００−１８５８１３号公報（段落番号００２４、図５）
【発明の概要】
【発明が解決しようとする課題】
【０００６】
上記のように、コンベアベルトの着脱を容易化したウォッシャブルコンベアは、すでに市販されているが、搬送機構の支持構造が片持ち支持構造であるため、重量が大きな搬送対象を搬送するのには適しておらず、その最大搬送能力は１５ｋｇ／全長に過ぎない。別のメーカーからは、最大搬送能力がより大きなウォッシャブル型のコンベア装置が市販されている（オークラ輸送機株式会社、機種名ＪＴＨ）が、それでも、１基当たりの最大搬送能力は６０ｋｇに過ぎず、搬送負荷が小さな搬送対象でないと適用できなかった。
【０００７】
本発明者は、例えば上段側のコンベア機構で加工対象の原料肉塊を搬送し、下段側のコンベア機構で加工済みの肉塊を搬送する、複層構造のコンベア装置の開発に携わってきた。その場合の搬送負荷は、上段及び下段のコンベア機構のそれぞれについて２００〜３００ｋｇと格段に大きいものであった。こうした搬送条件では、上下のコンベア機構のフレームをそれぞれ片持ち構造にしたとしても、フレームに作用する曲げモーメントが過大になるため数百ｋｇの肉塊を搬送することは難しく、上下のコンベア機構のフレームを両持ち構造にせざるを得なかった。しかし、コンベア機構のフレームを両持ち構造にすると、フレームが邪魔になってコンベアベルトを取外した状態で洗浄することが困難となり、コンベアベルトの洗浄に、煩雑で多くの手間が掛かるのを避けられない。本発明は、上記のようなフレーム構造に由来するコンベア装置の問題点を検討し、さらに洗浄作業を簡単に行えるコンベア装置の構造を追求した結果提案されたものである。
【０００８】
本発明の目的は、基本的に片持ち支持構造のコンベアユニットであるにもかかわらず、搬送時の構造強度を大幅に向上して大きな搬送負荷に耐えることができ、しかもコンベアベルトをより少ない手間で的確に洗浄でき、常に衛生的な状態を保持できるコンベアを提供することにある。
【課題を解決するための手段】
【０００９】
本発明に係るコンベア装置は、図１に示すように、前後に対向する第１コンベアユニット８および第２コンベアユニット９を備えている。各コンベアユニット８・９は、床Ｆに設置される基台フレーム１１・１２と、各フレーム１１・１２で片持ち支持される少なくとも一つのコンベア機構１３・１４を備えている。第１コンベアユニット８のコンベア機構１３と、第２コンベアユニット９のコンベア機構１４は、それぞれのコンベア機構１３・１４が上下に段違い状に対向する状態で各基台フレーム１１・１２に支持されている。第１コンベアユニット８と第２コンベアユニット９は、両コンベアユニット８・９の間に設けた相互支持構造と連結構造を介して連結される搬送姿勢と、連結構造の連結状態が解除されて、両コンベアユニット８・９が分離された洗浄姿勢に組換えることができる。両コンベアユニット８・９を相互支持構造と連結構造で連結した状態においては、各コンベア機構１３・１４の遊端が、連結相手側の基台フレーム１１・１２で相互支持構造を介して支持されて、コンベア機構１３・１４が前後の基台フレーム１１・１２で両持ち支持されることを特徴とする。
【００１０】
相互支持構造は、各コンベア機構１３・１４のコンベアフレーム２３・４３の遊端側の複数個所に設けた載架部５７・５８と、各載架部５７・５８に対応して連結相手側の基台フレーム１１・１２に設けた支持体５５・５６を備えている。各コンベアユニット８・９を連結構造で連結した状態においては、載架部５７・５８を対応する支持体５５・５６で受止めて、各コンベア機構１３・１４の遊端が連結相手側の基台フレーム１１・１２で支持される。
【００１１】
各コンベアユニット８・９の基台フレーム１１・１２の左右に支柱５９・６０を固定して、各支柱５９・６０に支持体５５・５６を固定する。各コンベア機構１３・１４のコンベアフレーム２３・４３の遊端側の下縁に載架部５７・５８を形成する。
【００１２】
第１コンベアユニット８の基台フレーム１１と、第２コンベアユニット９の基台フレーム１２の間に連結構造を設ける。連結構造は、両基台フレーム１１・１２のいずれか一方に設けた第１連結体６３と、他方に設けた第２連結体６４と、両連結体６３・６４を分離不能に固定する締結体６５で構成する。
【００１３】
第１コンベアユニット８の基台フレーム１１と、第２コンベアユニット９の基台フレーム１２のそれぞれが、床Ｆに載置される複数のベースフレーム１５・３５を備えている。各コンベアユニット８・９のベースフレーム１５・３５のいずれか一方に、床Ｆに載置固定される接床脚３７を設け、他方に床Ｆ上を転動する車輪１７を設ける。図１３に示すように第１コンベアユニット８のベースフレーム１５と、第２コンベアユニット９のベースフレーム３５はコンベア搬送方向の異なる位置に配置してある。
【００１４】
各コンベア機構１３・１４は、コンベアフレーム２３・４３と、駆動プーリー２４・４４および従動プーリー２５・４５と、コンベアベルト２６・４６と、駆動プーリー２４・４４を回転駆動するモーターユニット２７・４７を備えている。各コンベア機構１３・１４のコンベアフレーム２３・４３は、駆動プーリー２４・４４を支持するフレーム本体２８・４８と、従動プーリー２５・４５を支持する補助フレーム２９・４９を備えている。補助フレーム２９・４９は、フレーム本体２８・４８に対して揺動軸３０・５０で揺動可能に連結されて、揺動軸３０・５０を中心にして使用姿勢とベルト緩め姿勢の間で往復揺動できる。補助フレーム２９・４９を使用姿勢にした状態では、コンベアベルト２６・４６が従動プーリー２５・４５で緊張状態に保持される。補助フレーム２９・４９をベルト緩め姿勢にした状態では、従動プーリー２５・４５がフレーム本体２８・４８の側へ揺動してコンベアベルト２６・４６を弛緩できる。
【００１５】
本発明に係る別のコンベア装置は、図１６に示すように、前後に対向するコンベアユニット８４と、コンベアスタンド８５を備えている。コンベアユニット８４は、床Ｆに設置される基台フレーム８６と、基台フレーム８６で片持ち支持されるコンベア機構８７を備えている。コンベアスタンド８５は、床Ｆに設置されるスタンドフレーム８８を備えている。スタンドフレーム８８は、複数のスタンド枠８９と、スタンド枠８９同士を繋ぐ横フレーム９０を備えている。コンベアユニット８４とコンベアスタンド８５は、両者の間に設けた支持構造と連結構造を介して連結される搬送姿勢と、連結構造の連結状態が解除されて、コンベアユニット８４とコンベアスタンド８５が分離される洗浄姿勢に組換えることができる。コンベアユニット８４とコンベアスタンド８５を支持構造と連結構造を介して連結した状態において、コンベア機構８７の遊端が支持構造で支持されて、コンベア機構８７が基台フレーム８６とスタンドフレーム８８で両持ち支持してあることを特徴とする。
【００１６】
支持構造は、コンベア機構８７のコンベアフレーム２３の遊端側の複数個所に設けた載架部５７と、載架部５７に対応してスタンドフレーム８８に設けた支持体５６を備えている。コンベアユニット８とコンベアスタンド８５を連結構造で連結した状態において、載架部５７を支持体５６で受止めて、コンベア機構８７の遊端をスタンドフレーム８８で支持する。
【００１７】
コンベアユニット８４の基台フレーム８６とスタンドフレーム８８の間に連結構造を設ける。連結構造は、基台フレーム８６とスタンドフレーム８８のいずれか一方に設けた第５連結枠９３と、他方に設けた第６連結枠９４と、両連結具９３・９４を締結固定する締結体９５で構成する。搬送姿勢において、第５連結枠９３と第６連結枠９４を締結体９５で分離不能に締結固定する。
【発明の効果】
【００１８】
本発明に係るコンベア装置は、前後に対向する第１コンベアユニット８および第２コンベアユニット９で構成し、各コンベアユニット８・９のコンベア機構１３・１４を、床Ｆに設置した基台フレーム１１・１２で片持ち支持するようにした。また、両コンベアユニット８・９は、それぞれのコンベア機構１３・１４が上下に段違い状に対向する状態で支持されるようにし、相互支持構造と連結構造を介して連結された搬送姿勢と、連結構造の連結状態を解除した洗浄姿勢に組換えられるようにした。両コンベアユニット８・９を相互支持構造と連結構造で連結した状態においては、各コンベア機構１３・１４が、前後の基台フレーム１１・１２と連結相手側の基台フレーム１１・１２で相互支持構造を介して両持ち支持されるようにした。
【００１９】
上記のコンベア装置によれば、もともとコンベア機構１３・１４を片持ち支持するコンベアユニット８・９でありながら、両コンベアユニット８・９を相互支持構造と連結構造で連結することにより、各コンベア機構１３・１４を前後の基台フレーム１１・１２で両持ち支持することができる。これにより各コンベア機構１３・１４に下向きの大きな曲げモーメントが作用するのを解消して、両持ち支持構造のコンベア装置と同等の搬送能力を発揮できる。従って、基本的に片持ち支持構造のコンベアユニット８・９であるにもかかわらず、搬送時の構造強度を大幅に向上して大きな搬送負荷に耐えられるコンベア装置を提供できる。また、連結構造の連結状態を解除して、両コンベアユニット８・９を分離した状態では、各コンベア機構１３・１４が基台フレーム１１・１２で片持ち支持された状態となる。従って、コンベアベルト２６・４６をより少ない手間で的確に洗浄でき、常に衛生的な状態を保持できる多層構造のコンベア装置を提供できる。
【００２０】
コンベアフレーム２３・４３の遊端に設けた載架部５７・５８と、連結相手側の基台フレーム１１・１２に設けた支持体５５・５６で相互支持構造を構成した。こうした相互支持構造によれば、各コンベアユニット８・９を相互支持構造と連結構造で連結して一体化するだけで、各コンベア機構１３・１４を個々の基台フレーム１１・１２と、連結相手側の基台フレーム１１・１２で強固に両持ち支持して、各コンベア機構１３・１４の搬送負荷を増強できる。また、連結相手側の基台フレーム１１・１２に設けた支持体５５・５６と、各コンベア機構１３・１４の遊端に設けた載架部５７・５８で相互支持構造を構成するので、相互支持構造の構造を簡素化して低コスト化できる。
【００２１】
基台フレーム１１・１２の左右に支柱５９・６０を固定し、これらの支柱５９・６０に支持体５５・５６を固定した。また、各コンベア機構１３・１４のコンベアフレーム２３・４３の遊端側の下縁に載架部５７・５８を形成した。こうしたコンベア装置によれば、支柱５９・６０の位置および形状を好適化することにより、連結相手側のフレーム本体２８・４８の好適な位置を左右の支持体５５・５６で支持できる。具体的には、フレーム本体２８・４８の左端の載架部５７・５８と、他より重量が大きな駆動部フレーム１８・３８の下方の載架部５７・５８を一対の支持体５５・５６で支持して、各コンベアユニット８・９のコンベア機構１３・１４を安定した状態で支持できる。
【００２２】
第１連結体６３と、第２連結体６４と、両連結体６３・６４を分離不能に固定する締結体６５で連結構造を構成し、両コンベアユニット８・９を搬送姿勢において分離不能に固定できるようにした。こうしたコンベア装置によれば、コンベアユニット８・９を稼働する状態において、各コンベアユニット８・９が外力を受けて連結相手から分離するのを確実に防止できるので、搬送対象を安定した状態で搬送できる。また、連結構造の締結体６５の締結状態を解除するだけで、各コンベアユニット８・９をより少ない手間で洗浄姿勢に組みかえることができる。
【００２３】
各コンベアユニット８・９の基台フレーム１１・１２のそれぞれが、床Ｆに載置される複数のベースフレーム１５・３５を備えるようにし、ベースフレーム１５・３５のいずれか一方に車輪１７を設け、他方に接床脚３７を設けるようにした。こうしたコンベア装置によれば、車輪１７で支持された側のコンベアユニット８（または９）を移動操作することにより、一対のコンベアユニット８・９を連結する状態と分離する状態の間で、簡便に移動できる。また、接床脚３７で支持された側のコンベアユニット９（または８）から分離したコンベアユニット８（または９）を、洗浄しやすい位置へと移動することができる。従って、各コンベアユニット８・９の連結作業、あるいは各コンベアユニット８・９の洗浄作業を簡便に行うことができる。第１コンベアユニット８のベースフレーム１５と、第２コンベアユニット９のベースフレーム３５を、コンベア搬送方向の異なる位置に配置するので、両コンベアユニット８・９を連結した状態において、両コンベアユニット８・９をコンパクトに連結できる。
【００２４】
コンベア機構１３・１４のコンベアフレーム２３・４３を、フレーム本体２８・４８と補助フレーム２９・４９で構成し、補助フレーム２９・４９をフレーム本体２８・４８に対して揺動軸３０・５０で揺動可能に連結した。こうしたコンベア機構１３・１４によれば、補助フレーム２９・４９が揺動軸３０・５０を中心にして往復揺動することで、補助フレーム２９・４９を使用姿勢とベルト緩め姿勢に姿勢変更できる。また、補助フレーム２９・４９をベルト緩め姿勢にした状態では、従動プーリー２５・４５がフレーム本体２８・４８の側へ揺動してコンベアベルト２６・４６を弛緩できる。従って、コンベアベルト２６・４６をコンベアフレーム２３・４３から容易に取外して、その表裏両面を適確に洗浄することができる。さらに、コンベアフレーム２３・４３、駆動プーリー２４・４４、従動プーリー２５・４５に付着した肉片や脂肪等を洗い流すことができるので、コンベア装置２の洗浄をより少ない手間で簡便に行って、常に衛生的な状態を保持できる。
【００２５】
本発明に係る別のコンベア装置は、前後に対向するコンベアユニット８４と、コンベアスタンド８５で構成し、基台フレーム８６と、同フレーム８６で片持ち支持されるコンベア機構８７でコンベアユニット８４を構成した。また、複数のスタンド枠８９と、スタンド枠８９同士を繋ぐ横フレーム９０を備えたスタンドフレーム８８を主要構造にしてコンベアスタンド８５を構成した。そのうえで、コンベアユニット８４とコンベアスタンド８５が、支持構造と連結構造を介して連結される搬送姿勢と、両者８４・８５が分離される洗浄姿勢に組換えられるようにした。
【００２６】
上記のコンベア装置によれば、もともとコンベア機構８７を片持ち支持するコンベアユニット８４でありながら、コンベアユニット８４とコンベアスタンド８５を支持構造と連結構造で連結することにより、コンベア機構８７を基台フレーム８６とスタンドフレーム８８で両持ち支持して、搬送時の構造強度を大幅に向上できる。従って、基本的に片持ち支持構造のコンベアユニット８４であるにもかかわらず、コンベア機構８７に下向きの大きな曲げモーメントが作用するのを解消して、両持ち支持構造のコンベア装置と同等の搬送負荷に耐えられるコンベア装置が得られる。また、連結構造の連結状態を解除して、コンベアユニット８４をコンベアスタンド８５から分離した状態では、コンベア機構８７が基台フレーム８６で片持ち支持された状態となる。従って、コンベアベルト２６をより少ない手間で的確に洗浄でき、常に衛生的な状態を保持できる多層構造のコンベア装置を提供できる。
【００２７】
コンベアフレーム２３の遊端側の複数個所に設けた載架部５７と、スタンドフレーム８８に設けた支持体５６で支持構造を構成した。こうした支持構造によれば、コンベアユニット８４とコンベアスタンド８５を支持構造と連結構造で連結して一体化するだけで、コンベア機構８７を基台フレーム８６と、スタンドフレーム８８で強固に両持ち支持して、コンベア機構８７の搬送負荷を増強できる。また、スタンドフレーム８８に設けた支持体５６と、コンベア機構８７の遊端に設けた載架部５７で支持構造を構成するので、支持構造の構造を簡素化して低コスト化できる。
【００２８】
第５連結枠９３と、第６連結枠９４と、両連結具９３・９４を締結固定する締結体９５で連結構造を構成し、基台フレーム８６とスタンドフレーム８８を搬送姿勢において分離不能に固定できるようにした。こうしたコンベア装置によれば、コンベアユニット８４を稼働する状態において、コンベアユニット８４とコンベアスタンド８５が外力を受けて連結相手から分離するのを確実に防止できるので、搬送対象を安定した状態で搬送できる。また、連結構造の締結体９５の締結状態を解除するだけで、コンベアユニット８４とコンベアスタンド８５をより少ない手間で洗浄姿勢に組みかえることができる。
【図面の簡単な説明】
【００２９】
【図１】本発明の実施例１に係るコンベア装置の縦断側面図である。
【図２】実施例１に係るコンベア装置の使用例を示す平面図である。
【図３】実施例１に係るコンベア装置の正面図である。
【図４】実施例１に係る第１コンベアユニットの正面図である。
【図５】実施例１に係るコンベア装置を分離した状態の縦断側面図である。
【図６】実施例１に係る第１コンベアユニットのベルト緩め機構を示す横断平面図である。
【図７】実施例１に係る第２コンベアユニットの正面図である。
【図８】実施例１に係る第２コンベアユニットのベルト緩め機構を示す横断平面図である。
【図９】実施例１に係るコンベアユニットのベルト緩め機構を示す縦断正面図である。
【図１０】実施例１に係るコンベアベルトを緩めた状態を示す縦断正面図である。
【図１１】実施例１に係るコンベア装置を分離した状態の平面図である。
【図１２】実施例１に係る連結構造の縦断側面図である。
【図１３】実施例１に係る両コンベアユニットを連結した状態の基台フレームの平面図である。
【図１４】実施例１に係る両コンベアユニットを分離した状態の基台フレームの平面図である。
【図１５】実施例２に係るコンベア装置を分離した状態の縦断側面図である。
【図１６】実施例３に係るコンベア装置を分離した状態の縦断側面図である。
【発明を実施するための形態】
【００３０】
（実施例１）  図１ないし図１４に、本発明に係るコンベア装置を、ハムソーセージ製造のための食肉加工ラインに適用した実施例を示す。本発明における前後、左右、上下とは、図２、図３に示す交差矢印と、交差矢印の近傍の前後・左右・上下の表記に従う。図２において食肉加工ラインは、洗浄した未処理の原料肉Ｍ１を搬送する前段コンベア１と、未処理の原料肉Ｍ１と処理済みの原料肉Ｍ２を搬送する多層構造のコンベア装置２と、処理済の原料肉Ｍ２を収容するミートワゴン３と、ミートワゴン３の重量を計測するフロアスケール５などで構成してある。ミートワゴン３内の処理済の原料肉Ｍ２の合計重量が所定量になると、ミートワゴン３はフロアスケール５から図示していないタンブリング装置へと移送され、回転ドラムに投入されてマッサージ処理される。コンベア装置２の前後には、それぞれ２個のまな板を備えたキャスター付きの調理台６が配置してある。各調理台６にはそれぞれ２名の作業者が配置されており、各作業者は調理台６において未処理の原料肉Ｍ１から骨、筋、余分な脂肪などを除去したうえで、処理済の原料肉Ｍ２をコンベア装置２へ戻してミートワゴン３へ搬送する。各調理台６は４個のキャスター７で支持してある。
【００３１】
図３および図５においてコンベア装置２は、前後に対向配置した前側の第１コンベアユニット８と、後側の第２コンベアユニット９で構成してある。各コンベアユニット８・９は、床Ｆに設置される基台フレーム１１・１２と、各フレーム１１・１２で片持ち支持されるコンベア機構１３・１４を備えている。図１、図５に示すように、前後に対向する両コンベアユニット８・９は、各コンベア機構１３・１４が上下に段違い状に対向する状態で、各基台フレーム１１・１２に片持ち支持されている。両コンベアユニット８・９のコンベア機構１３・１４は、いずれも搬送対象をミートワゴン３側へ向かって搬送するが、上段に位置する第２コンベアユニット９のコンベア機構１４で未処理の原料肉Ｍ１を搬送し、下段に位置する第１コンベアユニット８のコンベア機構１３で処理済の原料肉Ｍ２を搬送する。
【００３２】
図４、図５に示すように、第１コンベアユニット８の基台フレーム１１は、左右一対のベースフレーム１５と、左右のベースフレーム１５の上部および下枠部の前部を橋絡する上下一対の横フレーム１６で、側面視がＬ字状の枠体として構成してある。ベースフレーム１５の下面の前後にはキャスター（車輪）１７が固定してあるので、第１コンベアユニット８は必要に応じて簡単に移動することができる。ベースフレーム１５の上端には、コンベア機構１３のコンベアフレーム２３が片持ち支持状に締結固定してあり、その搬送終端にモーターユニット２７を支持する駆動部フレーム１８が突設してある。第１コンベアユニット８のコンベア機構１３は、後述する第２コンベアユニット９のコンベア機構１４より低い位置に設けてあり、その左右長さは第２コンベアユニット９のコンベア機構１４の左右長さより大きく設定してある。
【００３３】
コンベア機構１３は、コンベアフレーム２３と、同フレーム２３で回転自在に支持される駆動プーリー２４および従動プーリー２５と、これら両プーリー２４・２５に巻き掛けられるコンベアベルト２６と、駆動プーリー２４を回転駆動するモーターユニット２７などで構成してある。モーターユニット２７は、先の駆動部フレーム１８で支持される減速機とモーターを備えており、モーターユニット２７の回転動力をチェーン機構で駆動プーリー２４に伝動している。
【００３４】
図４および図６に示すように、コンベアフレーム２３は、駆動プーリー２４を支持する左右に長いフレーム本体２８と、従動プーリー２５を支持する補助フレーム２９で構成してある。補助フレーム２９はフレーム本体２８に対して揺動軸３０で揺動可能に連結してあり、使用姿勢とベルト緩め姿勢の間で往復揺動できる。使用姿勢においては、補助フレーム２９がフレーム本体２８に連続して横向きに大きく突出するので、コンベアベルト２６を従動プーリー２５で緊張状態に保持できる（図９参照）。ベルト緩め姿勢においては、従動プーリー２５がフレーム本体２８側へ傾動するので、コンベアベルト２６を弛緩させることができる（図１０参照）。補助フレーム２９が使用姿勢を越えて揺動するのを規制するために、フレーム本体２８左側端に補助フレーム２９を受止める板状のストッパー片３１を設けている。また、使用姿勢に切換えた補助フレーム２９が揺動するのを規制するために、補助フレーム２９に挿通した固定ピン３２をフレーム本体２８に係合している。なお、上記のベルト緩め機構と、第２コンベアユニット９のベルト緩め機構は構造が同じあるので、図９、図１０においては、後者のベルト緩め機構の部材符号を括弧付き符号で併記している。
【００３５】
図５、図７において第２コンベアユニット９の基台フレーム１２は、左右一対のベースフレーム３５と、左右のベースフレーム３５の上下および前部を橋絡する３個の横フレーム３６で側面視がＬ字状の枠体として構成してある。後述するように、第２連結枠６４を基台フレーム１２の前部に設ける必要上、左右のベースフレーム３５の前部に横フレーム３６を固定している。ベースフレーム３５の下面の前後には、床Ｆにボルト４０で締結される接床脚３７が固定してある。左右のベースフレーム３５の上端には、コンベア機構１４のコンベアフレーム４３が片持ち支持状に締結固定してあり、その搬送終端にモーターユニット４７を支持する駆動部フレーム３８が突設してある。図１３に示すように、第２コンベアユニット９のベースフレーム３５の左右間隔は、第１コンベアユニット８のベースフレーム１５の左右間隔より僅かに小さく設定してある。これは、両コンベアユニット８・９を、後述する搬送姿勢に組んだ状態において、平面から見て第２コンベアユニット９の基台フレーム１２を、第２コンベアユニット９の基台フレーム１１の左右幅内に位置させて、両コンベアユニット８・９をコンパクトに連結するためである。基台フレーム１２の横フレーム３６の床面からの高さと、基台フレーム１１の横フレーム１６の床面からの高さは同じである。
【００３６】
コンベア機構１４は、コンベアフレーム４３と、同フレーム４３で回転自在に支持される駆動プーリー４４および従動プーリー４５と、これら両プーリー４４・４５に巻き掛けられるコンベアベルト４６と、駆動プーリー４４を回転駆動するモーターユニット４７などで構成してある。モーターユニット４７は、先の駆動部フレーム３８で支持される減速機とモーターを備えており、モーターユニット４７の回転動力をチェーン機構で駆動プーリー４４に伝動している。
【００３７】
図８ないし図１０において、コンベアフレーム４３は、駆動プーリー４４を支持する左右に長いフレーム本体４８と、従動プーリー４５を支持する補助フレーム４９で構成してある。補助フレーム４９はフレーム本体４８に対して揺動軸５０で揺動可能に連結してあり、使用姿勢とベルト緩め姿勢の間を往復揺動できる。使用姿勢においては、補助フレーム４９がフレーム本体４８に連続して横向きに大きく突出するので、コンベアベルト４６を従動プーリー４５で緊張状態に保持できる。ベルト緩め姿勢においては、従動プーリー４５がフレーム本体４８側へ傾動するので、コンベアベルト４６を弛緩させることができる。補助フレーム４９が使用姿勢を越えて揺動するのを規制するために、フレーム本体４８に補助フレーム４９を受止めるストッパー片５１を設けている。また、使用姿勢に切換えた補助フレーム４９が揺動するのを規制するために、補助フレーム４９に挿通した固定ピン５２をフレーム本体４８に係合している。この実施例では、ストッパー片５１をボルトで構成して、そのねじ込み量を調整することで補助フレーム４９の受止め位置を調整できるようにした。図１１に示すように、第１コンベアユニット８のコンベア機構１３の左右長さは、第２コンベアユニット９のコンベア機構１４の左右長さより僅かに大きく設定してある。
【００３８】
上記のように、個々のコンベアユニット８・９は、コンベア機構１３・１４を基台フレーム１１・１２で片持ち支持するため、個々のコンベアユニット８・９で重量が大きな肉塊を搬送するには構造強度が不足する。こうした構造強度の不足を補って、両持ち支持構造のコンベア装置と同等の搬送能力を発揮できるようにするために、第１コンベアユニット８と第２コンベアユニット９の間に相互支持構造を設け、さらに第１コンベアユニット８の基台フレーム１１と、第２コンベアユニット９の基台フレーム１２の間に連結構造を設けている。
【００３９】
図１および図５に示すように相互支持構造は、連結相手側のコンベア機構１３・１４を支持する支持体５５・５６と、各支持体５５・５６で受止められる載架部５７・５８で構成する。詳しくは、第１コンベアユニット８の側においては、前側のコンベアフレーム２３の上面の左右に一対の支柱５９を固定し、同支柱５９の上部に逆Ｌ字状の支持体５５を固定している。また、コンベア機構１３の遊端側（後側）のコンベアフレーム２３の左右に載架部５７を設けている。図４に示すように左右の支柱５９は、左右の基台フレーム１１の縦枠の延長上のコンベアフレーム２３の上面に固定されており、図４に向かって右側の支柱５９が単に縦長であるのに対して、図４に向かって左側の支柱５９は、逆Ｌ字状に形成してある。このように、支柱５９の位置および形状を異ならせることにより、連結相手側のフレーム本体４８の好適な位置を左右の支持体５５で支持できる。具体的には、フレーム本体４８の左端の載架部５８と、他より重量が大きな駆動部フレーム３８の下方の載架部５８を一対の支持体５５で支持して、第２コンベアユニット９のコンベア機構１４を安定した状態で支持できる。
【００４０】
第２コンベアユニット９の側においては、基台フレーム１２の外側面に水平の支柱６０を固定し、その突端に逆Ｌ字状の支持体５６を固定している。また、コンベア機構１４の遊端側（前側）のコンベアフレーム４３の左右に載架部５８を設けている。図７に向かって右側の支柱６０の長さは、左側の支柱６０の長さより大きく設定してある。このように、支柱６０の長さを異ならせることにより、連結相手側のフレーム本体２８の左端の載架部５７と、他より重量が大きな駆動部フレーム１８の下方の載架部５７を一対の支持体５６で支持して、第１コンベアユニット８のコンベア機構１３を安定した状態で支持できる。上記のように、各支持体５５・５６は、いずれも連結相手側のフレーム本体２８・４８の下面の載架部５７・５８を支持する。
【００４１】
連結構造は、第１コンベアユニット８の下側の横フレーム１６に設けた左右一対の第１連結枠（第１連結体）６３と、第１連結枠６３と正対する状態で第２コンベアユニット９の横フレーム３６に設けた左右一対の第２連結枠（第２連結体）６４と、両連結枠６３・６４を分離不能に締結固定する締結体６５で構成してある。四角形状の鋼板で形成した第１連結枠６３の左右中央には掛止溝６６が形成してあり、その下半側の板面が横フレーム１６に固定したブラケットに締結固定してある。締結体６５は、ねじ軸６７と、ねじ軸６７にねじ込まれるノブ状の雌ねじ体６８と、ねじ軸６７の基端に固定した筒軸６９を備えており、筒軸６９を第２連結枠６４に設けた水平のピン７０で軸支することにより、締結体６５の全体が前後傾動可能に支持される。第２連結枠６４には、前方傾動したねじ軸６７を受止める逃げ溝７１が形成してある。ねじ軸６７を第１連結枠６３の掛止溝６６に係合した状態で雌ねじ体６８をねじ込むことにより、第１連結枠６３と第２連結枠６４を小さな隙間を介して締結固定して、第１コンベアユニット８と第２コンベアユニット９を連結できる。このとき、基台フレーム１１の横フレーム１６と基台フレーム１２の横フレーム３６は前後に密着している。
【００４２】
コンベア装置２を稼働する際に調理台６が移動するのを防ぐために、前後の調理台６を各コンベアユニット８・９の基台フレーム１１・１２に分離不能に連結している。詳しくは、図１２に示すように、前後の調理台６の調理台フレームの側枠部分に第３連結枠７３を固定し、左右一対のベースフレーム１５・３５の外側面に第４締結枠７４を固定して、これらの締結枠７３・７４を締結体７５で締結固定している。第３連結枠７３は第１連結枠６３と、第４締結枠７４は第２締結枠６４と、締結体７５は締結体６５と同じであるので、その説明を省略する。図２に示すように、基台フレーム１１・１２に連結された調理台６の調理面の高さは、第１コンベアユニット８のコンベアベルト２６の搬送面の高さとほぼ同じ高さになっている。そのため、骨などが除去された処理済の原料肉Ｍ２を、余分に持上げる必要もなくコンベアベルト２６の搬送面に簡便に載置できる。
【００４３】
上記のように構成したコンベア装置２は、第１コンベアユニット８と第２コンベアユニット９が、相互支持構造および連結構造で連結されて一体化された搬送姿勢（図１、図１３に示す状態）と、お互いのコンベア機構１３・１４が分離する洗浄姿勢（図５、図１４に示す状態）に組換えることができる。図１に示すように搬送姿勢においては、前側のコンベア機構１３に設けた載架部５７が、後側の基台フレーム１２に設けた支持体５６で支持され、後側のコンベア機構１４に設けた載架部５８が、前側の基台フレーム１２に設けた支持体５５で支持される。この状態で、左右一対の締結体６５をピン７０の周りに前向きに回動させて、ねじ軸６７を第１連結枠６３の掛止溝６６に係合し、雌ねじ体６８をねじ込み操作することにより、第１コンベアユニット８を第２コンベアユニット９側へ引き寄せて、両コンベアユニット８・９を分離不能に一体化できる。
【００４４】
上記のように、第１連結枠６３と、第２連結枠６４と、両連結枠６３・６４を分離不能に固定する締結体６５で連結構造を構成し、両コンベアユニット８・９を搬送姿勢において分離不能に固定できるようにした。こうしたコンベア装置によれば、コンベアユニット８・９を稼働する状態において、各コンベアユニット８・９が外力を受けて連結相手から分離するのを確実に防止できるので、搬送対象を安定した状態で搬送できる。また、連結構造の締結体６５の締結状態を解除するだけで、各コンベアユニット８・９をより少ない手間で洗浄姿勢に組みかえることができる。
【００４５】
両コンベアユニット８・９を相互支持構造および連結構造で連結して搬送姿勢にした状態では、各コンベア機構１３・１４の載架部５７・５８が基台フレーム１１・１２に設けた支持体５５・５６で支持される。これにより、各コンベア機構１３・１４は前後の基台フレーム１１・１２で両持ち支持されることになり、搬送時の構造強度を大幅に向上できる。従って、基本的に片持ち支持構造のコンベアユニット８・９であるにもかかわらず、各コンベア機構１３・１４に下向きの大きな曲げモーメントが作用するのを解消して、両持ち支持構造のコンベア装置と同等の搬送負荷に耐えられるコンベア装置が得られる。搬送姿勢に連結した第１コンベアユニット８と第２コンベアユニット９を分離する場合には、基台フレーム１１・１２に連結した前後の調理台６を予め分離して、邪魔にならない場所に移動しておく。また、雌ねじ体６８を緩めて締結体６５をピン７０の周りに後向きに回動させて、ねじ軸６７を第１連結枠６３の掛止溝６６から分離することにより、両コンベアユニット８・９を洗浄姿勢に分離することができる。
【００４６】
両コンベアユニット８・９を洗浄姿勢に分離した状態では、前側のコンベアユニット８を移動させることにより、各コンベアユニット８・９を洗浄しやすい状態に保持できる。また、分離された各コンベアユニット８・９は、各コンベア機構１３・１４が基台フレーム１１・１２で片持ち支持された状態になるので、各コンベアフレーム２３・４３にねじ込んだ固定ピン３２・５２を取外して、補助フレーム２９・４９をベルト緩め姿勢に傾動することにより、図１０に示すようにコンベアベルト２６・４６を弛緩させることができる。従って、コンベアベルト２６・４６をコンベアフレーム２３・４３から容易に取外して、その表裏両面をより少ない手間で的確に洗浄でき、あるいは洗浄したコンベアベルト２６・４６を殺菌液に浸漬して殺菌できる。また、コンベアフレーム２３・４３、駆動プーリー２４・４４、従動プーリー２５・４５に付着した肉片や脂肪などを洗浄できるので、コンベア装置２の洗浄をより少ない手間で簡便に行って、常に衛生的な状態を保持できる。同様にして、基台フレーム１１・１２から分離した調理台６も隅々まで洗浄することができる。
【００４７】
キャスター１７で支持された第１コンベアユニット８を移動操作することにより、一対のコンベアユニット８・９を連結する状態と分離する状態に組換えることができる。従って、各コンベアユニット８・９の連結作業、あるいは各コンベアユニット８・９の洗浄作業を簡便に行うことができる。
【００４８】
（実施例２）図１５に実施例２に係るコンベア装置を示している。そこでは、第２コンベアユニット９に上下２段のコンベア機構１４Ａ・１４Ｂを設けるようにした。第１コンベアユニット８と第２コンベアユニット９を連結構造で連結した状態においては、第１コンベアユニット８のコンベア機構１３が先のコンベア機構１４Ａ・１４Ｂの間に入込んで、３基のコンベア機構１３・１４Ａ・１４Ｂが上下方向へ段違い状に対向する。この場合の各コンベア機構１３・１４Ａ・１４Ｂの搬送方向は全て同じであってもよく、あるいはいずれかひとつのコンベア機構の搬送方向が、他のふたつのコンベア機構の搬送方向と異なっていてもよい。上下２段のコンベア機構１４Ａ・１４Ｂの構造は、実施例１で説明したコンベア機構１４の構造と同じであるので、同じ部材に同じ符号を付して、その説明を省略する。以下の実施例においても同じとする。上下２段のコンベア機構１４Ａ・１４Ｂのコンベアフレーム４３には、それぞれ載架部５８を設け、連結相手側の基台フレーム１１の上下には支持体５５を固定した。この実施例から理解できるように、基台フレーム１１・１２には、複数のコンベア機構１３・１４を設けることができる。
【００４９】
（実施例３）図１６に実施例３に係るコンベア装置を示している。そこでは、コンベアユニット８４と、コンベアスタンド８５でコンベア装置を構成した。コンベアユニット８４は、床Ｆに設置される基台フレーム８６と、基台フレーム８６で片持ち支持されるコンベア機構８７を備えている。コンベアスタンド８５は、床Ｆに設置されるスタンドフレーム８８を備えており、基台フレーム８６とスタンドフレーム８８の間に、支持構造と連結構造が設けてある。基台フレーム８６およびコンベア機構８７の構造は、実施例１で説明した基台フレーム１１およびコンベア機構１３と同じであるので、同じ部材に同じ符号を付して、その説明を省略する。また、支持構造は実施例１で説明した相互支持構造に相当し、連結構造は実施例１で説明した連結構造と同じであるので、同じ部材に同じ符号を付して、その説明を省略する。
【００５０】
スタンドフレーム８８は、左右一対のＬ字状のスタンド枠８９と、スタンド枠８９の前後枠部分の間に固定される前後一対の横フレーム９０と、スタンド枠８９の前後枠部分の下面に固定される接床脚９２を備えている。接床脚９２は床Ｆにボルト４０で締結固定される。
【００５１】
支持構造は、コンベア機構８７のフレーム本体２８の遊端側の左右に設けた載架部５７と、載架部５７に対応してスタンドフレーム８８の上部に設けた逆Ｌ字状の支持体５６で構成してある。コンベアユニット８４とスタンドフレーム８８を組付けた状態において、支持体５６はコンベア機構８７のフレーム本体２８の左端の載架部５７と、他より重量が大きな駆動部フレーム１８の下方の載架部５７を一対の支持体５６で支持して、コンベアユニット８４のコンベア機構８７を安定した状態で支持できる。つまり、この状態のコンベア機構８７は、基台フレーム８６とコンベアスタンド８５で両持ち支持された状態になっている。
【００５２】
連結構造は、基台フレーム８６の下側の横フレーム１６に固定した第５連結枠９３と、第５連結枠９３と正対する状態でスタンドフレーム８８の前側の横フレーム９０に設けた第６連結枠９４と、両連結枠９３・９４を締結固定する締結体９５で構成する。第５連結枠９３と、第６連結枠９４と、締結体９５は、実施例１で説明した第１連結枠６３と、第２連結体６４と、締結体６５と同じであるので、同じ部材に同じ符号を付して、その説明を省略する。
【００５３】
上記のように構成したコンベア装置は、コンベアユニット８４とコンベアスタンド８５が、支持構造および連結構造で連結されて一体化された搬送姿勢と、コンベアユニット８４とコンベアスタンド８５が分離する洗浄姿勢に組換えることができる。搬送姿勢においては、コンベア機構８７に設けた載架部５７が、コンベアスタンド８５に設けた支持体５６で支持される。この状態で、左右一対の締結体９５を前向きに回動させて、第５連結枠９３に係合し、雌ねじ体６８をねじ込み操作することにより、コンベアユニット８４とコンベアスタンド８５を互いに引き寄せて、分離不能に一体化できる。
【００５４】
両コンベアユニット８・９を連結構造で連結して搬送姿勢にした状態では、コンベア機構８７の載架部５７がコンベアスタンド８５に設けた支持体５６で支持される。これにより、コンベア機構８７は基台フレーム８６とスタンドフレーム８８で両持ち支持されることになり、搬送時の構造強度を大幅に向上できる。従って、基本的に片持ち支持構造のコンベアユニット８４であるにもかかわらず、コンベア機構８７に下向きの大きな曲げモーメントが作用するのを解消して、両持ち支持構造のコンベア装置と同等の搬送負荷に耐えられるコンベア装置が得られる。搬送姿勢に連結したコンベアユニット８４とコンベアスタンド８５を分離する場合には、雌ねじ体６８を緩めて締結体９５を第５連結枠９３から分離することにより、コンベアユニット８４を洗浄姿勢に分離することができる。
【００５５】
コンベアユニット８４を洗浄姿勢に分離した状態では、コンベアユニット８４を移動させて洗浄しやすい状態に保持できる。また、分離されたコンベアユニット８４は、コンベア機構８７が基台フレーム８６で片持ち支持された状態になるので、ベルト緩め機構を緩めてコンベアベルト２６を弛緩させることにより、コンベアベルト２６をコンベアフレーム２３から容易に取外して、その表裏両面をより少ない手間で的確に洗浄でき、あるいは洗浄したコンベアベルト２６を殺菌液に浸漬して殺菌できる。また、コンベアフレーム２３、駆動プーリー、従動プーリー等に付着した肉片や脂肪などを洗浄できるので、コンベア装置の洗浄をより少ない手間で簡便に行って、常に衛生的な状態を保持できる。同様にして、コンベアスタンド８５も隅々まで洗浄することができる。
【００５６】
コンベアフレーム２３の遊端側の左右に設けた載架部５７と、スタンドフレーム８８に設けた支持体５６で支持構造を構成するようにした。こうした支持構造によれば、コンベアユニット８４とコンベアスタンド８５を支持構造と連結構造で連結して一体化するだけで、コンベア機構８７を基台フレーム８６と、スタンドフレーム８８で強固に両持ち支持して、コンベア機構８７の搬送負荷を増強できる。また、スタンドフレーム８８に設けた支持体５６と、コンベア機構８７の遊端に設けた載架部５７で支持構造を構成するので、支持構造の構造を簡素化して低コスト化できる。
【００５７】
第５連結枠９３と、第６連結枠９４と、両連結具９３・９４を締結固定する締結体９５で連結構造を構成し、基台フレーム８６とスタンドフレーム８８を搬送姿勢において分離不能に固定できるようにした。こうしたコンベア装置によれば、コンベアユニット８４を稼働する状態において、コンベアユニット８４とコンベアスタンド８５が外力を受けて連結相手から分離するのを確実に防止できるので、搬送対象を安定した状態で搬送できる。また、連結構造の締結体９５の締結状態を解除するだけで、コンベアユニット８４とコンベアスタンド８５をより少ない手間で洗浄姿勢に組みかえることができる。
【００５８】
上記の実施例１では、遊端側のコンベアフレーム２３・４３の下縁を載架部５７・５８として利用したが、その必要はなく、コンベアフレーム２３・４３に別の部品を固定して載架部５７・５８を形成してもよい。例えば、丸軸状や角軸状に形成した載架部５７・５８を支持体５５・５６で支持することができる。その場合には、支持体５５・５６の上面側に断面がＵ字状またはＶ字状の受面を形成しておいて、軸状の載架部５７・５８を支持体５５・５６で左右移動不能に支持して、位置決めすることができる。
【００５９】
載架部５７・５８および支持体５５・５６は対応する３個所以上に設けることができ、必要があれば左右に長い１個の枠体として構成してもよい。車輪１７は床Ｆ上を転動できる車輪であれば、キャスター以外の車輪構造や、無端軌道帯を使用した車輪構造であってもよい。締結体６５・７５・９５は、ねじを締結要素とする締結構造である必要はなく、レバーリンク式のファスナー（パッチン錠）や、一端にフックを備えているリンク体と、デッドポイントを越えてリンク体を引寄せ操作するカムと、カムを回動操作するレバーを備えたカム式の締結構造であってもよい。
【００６０】
本発明に係る多層構造のコンベア装置は、ハムソーセージ製造のための食肉加工ライン以外に、食品、化粧品、薬品などの製造ラインに適用することができ、とくに搬送負荷が大きな搬送対象を搬送する用途に適している。
【符号の説明】
【００６１】
８  第１コンベアユニット
９  第２コンベアユニット
１１  第１コンベアユニットの基台フレーム
１２  第２コンベアユニットの基台フレーム
１３  第１コンベアユニットのコンベア機構
１４  第２コンベアユニットのコンベア機構
１５・３５  ベースフレーム
１６・３６  横フレーム
１７  キャスター（車輪）
２３・４３  コンベアフレーム
２４・４４  駆動プーリー
２５・４５  従動プーリー
２６・４６  コンベアベルト
２７・４７  モーターユニット
２８・４８  フレーム本体
２９・４９  補助フレーム
３０・５０  揺動軸
３７  接床脚
５５・５６  支持体
５７・５８  載架部
【図１】
2018020893.tif 000003
【図２】
2018020893.tif 000004
【図３】
2018020893.tif 000005
【図４】
2018020893.tif 000006
【図５】
2018020893.tif 000007
【図６】
2018020893.tif 000008
【図７】
2018020893.tif 000009
【図８】
2018020893.tif 000010
【図９】
2018020893.tif 000011
【図１０】
2018020893.tif 000012
【図１１】
2018020893.tif 000013
【図１２】
2018020893.tif 000014
【図１３】
2018020893.tif 000015
【図１４】
2018020893.tif 000016
【図１５】
2018020893.tif 000017
【図１６】
2018020893.tif 000018